(57)【要約】【課題】隣室等への音の拡散を防止することができ、また効率良く良質な音を発生させることのできる音響装置を提供する。【解決手段】室内に面する面材（例えば、浴室天井の点検口蓋３）の室外側に振動用アクチュエータ１１を配設し、面材３を覆うように遮音材１５を配設している。遮音材１５としては、スポンジ等の吸音材又は防振ゴムと硬質板材とを交互に積層した振動を伝達し難い部材などが考えられる。この遮音材１５により、面材３の振動領域が室外表面と接しない領域を形成することができる。従って、室外表面との間を遮音することができ、隣室などへ音が伝搬して洩れ出るということがない。【選択図】  図１
2006133639.tif 000002
【特許請求の範囲】
【請求項１】
室内に面する振動板となる面材と、該面材の室外側に配設された面材を振動させる振動用アクチュエータとを備えた音響装置において、面材を覆う遮音材を該面材の室外側に配設したことを特徴とする室内に面する面部に設けた音響装置。
【請求項２】
面材に隣接する室内構成部材と、前記面材との間に防振材を介在させた請求項１に記載の室内に面する面部に設けた音響装置。
【請求項３】
面材と遮音材との間に空間が形成されている請求項１又は２に記載の室内に面する面部に設けた音響装置。
【請求項４】
前記遮音材は外側を形成する変形し難い外殻を備えており、該外殻に隣接する室内構成部材と外殻との間に防振材を介在させた請求項３に記載の室内に面する面部に設けた音響装置。
【発明の詳細な説明】
【技術分野】
【０００１】
本発明は、振動用アクチュエータを室内に面する面材に設け、該面材の室外側を遮音材で覆うようにした音響装置に関するものである。
【背景技術】
【０００２】
最近では、浴室にオーディオ装置を設置し、入浴動作をしながらカセットテープやＣＤの音楽を聴いたり、ＡＭ及びＦＭラジオ放送の音楽やニュースを聴いたり、テレビの音声信号を聴いたりする等の楽しみ方がある。このような浴室で音情報を楽しむ公知の技術としては、特許文献１及び特許文献２に記載された発明が公知である。
【０００３】
特許文献１に記載された発明では、浴室天井に設けた点検口の点検口蓋裏面側にスピーカーを設置し、点検口蓋を通じて浴室内で音楽等の音情報を発生させるようにしている。また特許文献２に記載された発明では、浴室点検口の近傍の側壁部に形成されたニッチ部の裏面側に振動素子をを設置し、該振動素子によってニッチ部の天井を構成する構成部材を振動させ、浴室内へ音を発するようにしている。
【特許文献１】特許第３５２８７６７号公報
【特許文献２】実用新案登録第２５２１４５２号公報
【発明の開示】
【発明が解決しようとする課題】
【０００４】
ところが、特許文献１に記載された発明にあっては、スピーカーによって点検口蓋自体が振動し、天井裏の空間を伝搬して浴室の外側にも音が広がり、隣室から音が洩れ出すという欠点があった。また振動板から浴室を構成する他の部材へも振動が伝達され、やはり隣室から音が洩れ出すという欠点があった。特に、集合住宅の場合は、隣室へ音が洩れ出し易く、不快感を与えていた。
【０００５】
一方、特許文献２にあっては、点検口の近傍の側壁部に形成されたニッチ部の裏面側に振動体素子を取り付け、ニッチ部の天井を構成する構成部材を振動させて発音体としているが、天井を構成する構成部材の振動が隣室等へ伝搬して音が洩れ出すことがあった。
【０００６】
本発明は従来の前記課題に鑑みてこれを改良除去したものであって、隣室等への音の拡散を防止することができ、また効率良く良質な音を発生させることのできる音響装置を提供せんとするものである。
【課題を解決するための手段】
【０００７】
前記課題を解決するために本発明が採用した請求項１の手段は、室内に面する振動板となる面材と、該面材の室外側に配設された面材を振動させる振動用アクチュエータとを備えた音響装置において、面材を覆う遮音材を該面材の室外側に配設したことを特徴とする室内に面する面部に設けた音響装置である。
【０００８】
本発明が採用した請求項２の手段は、面材に隣接する室内構成部材と、前記面材との間に防振材を介在させた請求項１に記載の室内に面する面部に設けた音響装置である。
【０００９】
本発明が採用した請求項３の手段は、面材と遮音材との間に空間が形成されている請求項１又は２に記載の室内に面する面部に設けた音響装置である。
【００１０】
本発明が採用した請求項４の手段は、前記遮音材は外側を形成する変形し難い外殻を備えており、該外殻に隣接する室内構成部材と外殻との間に防振材を介在させた請求項３に記載の室内に面する面部に設けた音響装置である。
【発明の効果】
【００１１】
請求項１の発明にあっては、室内に面する面材の室外側に振動用アクチュエータを配設し、面材を覆うように該面材の室外側に遮音材を配設している。遮音材としては、スポンジ等の吸音材又は防振ゴムと硬質板材とを交互に積層した振動を伝達し難い部材などが考えられる。この遮音材により、面材から室外側へ発せられる音を遮音することができ、隣室などへ音が伝搬して洩れ出るということがない。
【００１２】
請求項２の発明にあっては、面材に隣接する室内構成部材と、前記面材との間に防振材を介在させている。そのため、振動用アクチュエータによって面材を振動させて面材から室内へ音を発生させた場合であっても、面材の振動は前記防振材によって遮断されるようになる。これにより、面材に隣接する室内構成部材の振動が抑制され、隣室等へ室内構成部材を伝搬して音が洩れ出るということがない。
【００１３】
請求項３の発明にあっては、面材と遮音材との間に空間が形成されている。これにより、前記空間は共鳴用の空間となり、効率良く面材を振動させることができ、良質な音を発生させることができる。
【００１４】
請求項４の発明にあっては、前記遮音材は外側を形成する変形し難い外殻を備えており、該外殻に隣接する室内構成部材と外殻との間に防振材を介在させている。この場合も面材の振動アクチュエータの振動は、防振材によって遮断されることになり、隣接する室内構成部材への振動の伝達が遮断され、音が洩れ出るということはない。
【発明を実施するための最良の形態】
【００１５】
以下に、本発明の構成を図面に示す発明の実施の形態に基づいて説明すると次の通りである。図１及び図２は本発明の第１の実施の形態に係るものであり、ユニットバスの浴室天井１の点検口蓋（面材）３を振動板として利用する場合を示すものである。図１の図（Ａ）は浴室天井１の点検口２に配設された点検口蓋３を浴室内下方から見た底面図、図（Ｂ）はそのＸ−Ｘ線断面図である。図２は点検口蓋３の装着要領を説明するための縦断面図である。
【００１６】
同図に示す如く、この第１の実施の形態の浴室天井１は、浴室内側の鋼板４の裏面側に石膏ボード製の補強材５が配設されている。点検口２の部分は、断面Ｌ字状に折曲形成された鋼板４の起立片４Ａが補強材５の内周端面をカバーするようになっている。そして、この点検口２に装着される点検口蓋３は、鋼板を折り曲げ加工したものであり、四周縁に前記補強材５の上面側に当接接合する係止用のフランジ６が形成され、その他の浴室外側（裏面側）の中央領域に凹部７が形成されており、全体として断面ハット状（皿状）を成している。点検口蓋３の下面側には、浮き上がり防止用の係止片８が回動自在に取り付けられている。
【００１７】
而して、この実施の形態にあっては、点検口蓋３のフランジ６が補強材５の上面及び鋼板起立片４Ａの端面と接合する部分には、軟質ゴム等の防振材９が取り付けられている。また点検口蓋３の浴室外側の凹部７には、振動制御板１０と振動用アクチュエータ１１とが取り付けられている。振動制御板１０は、点検口蓋３の振動がいつまでも継続するのを抑制するためのものであり、合成樹脂又は発泡材等で構成されている。振動用アクチュエータ１１は、音情報信号を機械的な振動として出力するものであればよく、例えば、ボイスコイルを用いたエキサイター（励振器）、超磁歪式のアクチュエータ、圧電振動子を用いたアクチュエータ等の製品が公知である。
【００１８】
図１及び図２は、エキサイターを用いた場合の外観を簡単に示すものである。同図に示す如く、エキサイターの振動用アクチュエータ１１は、本体ケーシングの上部側に下向きの凹部を備えた皿状のヨークが取り付けられており、前記凹部内に磁石が取り付けられ、更にその外周側にボビンが嵌合装着されている。ボビンの外周面にはボイスコイルが巻回されており、ボビンの下端面には振動出力部１２が連結固定されており、該振動出力部１２が点検口蓋３の裏面側に当接接合して取り付けられている。振動用アクチュエータ１１は、音情報信号が送られて来る配線１３及びその途中のコネクター１４等を介してＣＤプレイヤーやラジオ、テレビ等の音情報源に接続されている。
【００１９】
更に、点検口蓋３の裏面側には、四周縁のフランジ６どうしに跨がってスポンジ等の遮音材１５が取り付けられており、振動領域を構成する凹部７の空間１６が浴室外表面（浴室外の空間領域）とつながって連続しないように遮断されている。遮音材１５は、スポンジの材料以外にも、発泡材、ゴム、エラストマー等の軟質材料で成形されたもの等が適用可能である。また遮音材１５は、前記スポンジ、発泡材、ゴム、エラストマー等の軟質材料と、ハードボードなどの硬質板材とを交互に積層したものであってもよい。
【００２０】
次に、このように構成された音響装置の使用態様を説明する。エキサイターの音発生原理は、ボイスコイルにＣＤプレイヤーやラジオ，テレビなどの音声出力部から音情報信号が流れると、その強さに応じてボイスコイルと共にボビンがピストン運動し、ボビンの先端側の振動出力部１２を振動させ、振動出力部１２が点検口蓋３を振動させることで行われる。このとき、フランジ６の下面側に配設した防振材９が点検口蓋３の振動を、その余の天井１を構成する部材や壁面構成部材等へ伝達するのを抑制する。そのため、天井１や壁面構成部材等が大きく振動することはなく、天井１や壁面構成部材等から音の発生はほとんどない。つまり、点検口蓋３のみを振動板として利用し、当該点検口蓋３のみからの発音によって音楽等の音情報を浴室内へ発信するようになる。
【００２１】
また点検口蓋３の裏面側にあっては、振動用アクチュエータ１１が装着されている凹部７の振動領域を構成する空間１６が、遮音材１５によって浴室外側表面と遮断されている。そのため、振動領域を構成する空間１６で発生した音は、遮音材１５で吸音されるようになり、天井裏空間を伝搬して隣室等への伝搬がなくなる。
【００２２】
更に、点検口蓋３のみを振動板として利用することにより、効率の良い音の発信が可能である。つまり、一つの振動用アクチュエータ１１が振動させることのできる振動板面積は限られているので、振動用アクチュエータ１１の振動を効率良く伝達するためには、限られた面積の面材に限定する方が良い。本実施の形態では、そういう意味で点検口蓋３のみを振動させるようにしている。なお、このときスポンジなどの遮音材１５で振動用アクチュエータ１１の振動出力部１２を点検口蓋３へ押し付けることにより、振動出力部１２から無駄なく振動が伝達されるようになる。
【００２３】
図３は本発明の第２の実施の形態に係るものであり、前記第１の実施の形態に係る遮音材１５を底面側が開口したボックス状に形成した遮音材１７を用い、空間１６を共鳴用の空間（エンクロージャー）に兼用したものである。なお、空間１６をエンクロージャーと兼用して用いる場合、室外面側に特に低音の拡大効果があるバスレフダクトを開口することも考えられる。この第２の実施の形態にあってはは、当該共鳴用空間１６で発生した音が拡大され、より効率の良い発音が可能である。その他の構成並びに作用効果は、前記第１の実施の形態の場合と同じである。
【００２４】
図４は本発明の第３の実施の形態に係るものであり、前記第２の実施の形態にける遮音材１７に変えて、内周面側に吸音材１８を備え、外周面側に変形し難い外殻１９を備えた二重構造の遮音材を用いるようにしたものである。二重の遮音効果があるので、より遮音効果に優れたものとなる。なお、この実施の形態では、点検口蓋３のフランジ６の上面側にも防振材２０を配設している。その他の構成並びに作用効果は、前記第１及び第２の実施の形態の場合と同じである。
【００２５】
図５は本発明を壁面２１へ適用した場合の第４の実施の形態に係るものである。同図の図（Ａ）は壁面２１の横断面図、図（Ｂ）は同分解した横断面図である。この実施の形態では、鋼板４と補強材５とからなる壁面２１に開口２２を形成し、開口２２に面する鋼板４を壁奥側へ折り曲げて端板部２３を形成し、続いてその端縁を内側へ折り曲げて開口蓋２４の支承片２５を形成している。開口蓋２４は、前記点検口蓋３と同じように、係止用のフランジ２６が形成され、その他の浴室外側（裏面側）の中央領域に凹部２７が形成されており、全体として断面ハット状（皿状）を成している。
【００２６】
前記開口蓋２４の浴室外側の凹部２７には、振動制御板１０と振動用アクチュエータ１１とが取り付けられている。振動制御板１０は、開口蓋２４の振動がいつまでも継続するのを抑制するためのものであり、合成樹脂又は発泡材等で構成されている。振動用アクチュエータ１１は、音情報信号を機械的な振動として出力するものであればよく、例えば、ボイスコイルを用いたエキサイター（励振器）、超磁歪式のアクチュエータ、圧電振動子を用いたアクチュエータ等の製品が公知である。図面は、エキサイターを用いた場合の外観を簡単に示すものである。このエキサイターの構成については前述した通りである。
【００２７】
また開口蓋２４の裏面側には、正面側を開口したボックス状の遮音材２８が取り付けられている。遮音材２８は、振動領域を構成する凹部２７の空間２９内に嵌合装着されており、当該空間２９が浴室外表面（浴室外の空間領域）とつながって連続しないように遮断している。遮音材２８は、スポンジの材料以外にも、発泡材、ゴム、エラストマー等の軟質材料で成形されたもの等が適用可能である。また遮音材２８は、前記スポンジ、発泡材、ゴム、エラストマー等の軟質材料と、ハードボードなどの硬質板材とを交互に積層したものであってもよい。
【００２８】
開口蓋２４の壁面２１への取り付けは、図５の図（Ｂ）に示すように、開口蓋２４の全体を壁面２１の開口部２２へ嵌合装着し、軟質ゴム等の防振材３０を介してフランジ２６を、鋼板４の支承片２５へビス３１等で締結すればよい。なお、浴室内側の壁面２１の鋼板４と、開口蓋２４の鋼板４との間には必要に応じてコーキング材３２を配設し、浴室外への水洩れを防止するようにすればよい。隣室への音洩れ等を防止する作用効果については、前記各実施の形態の場合と同じである。
【図面の簡単な説明】
【００２９】
【図１】本発明の第１の実施の形態に係るものであり、図（Ａ）は浴室天井の点検口に配設された点検口蓋を浴室内下方から見た底面図、図（Ｂ）はそのＸ−Ｘ線断面図である。
【図２】本発明の第１の実施の形態に係るものであり、点検口蓋の装着要領を説明するための縦断面図である。
【図３】本発明の第２の実施の形態に係るものであり、浴室天井の点検口部の縦断面図である。
【図４】本発明の第３の実施の形態に係るものであり、浴室天井の点検口部の縦断面図である。
【図５】本発明の第４の実施の形態に係るものであり、図（Ａ）は壁面の横断面図、図（Ｂ）は同分解した横断面図である。
【符号の説明】
【００３０】
１…天井、２…点検口、３…点検口蓋、４…鋼板、５…補強材、６…点検口蓋フランジ  、７…凹部、９…防振材、１１…振動用アクチュエータ、１２…振動出力部、１５…遮  音材、１６…空間
【図１】
2006133639.tif 000003
【図２】
2006133639.tif 000004
【図３】
2006133639.tif 000005
【図４】
2006133639.tif 000006
【図５】
2006133639.tif 000007